【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
電気泳動ディスプレイに有用な分散液であって、
α）  式Ｉのビスオキソジヒドロ−インドリレン−ベンゾジフラノン着色剤
【化１】
2012515240.tif 000001
［式中、
Ｒ1およびＲ6は互いに独立してＨ、ＣＨ3、ＣＦ3、ＦまたはＣｌ、好ましくはＨまたはＦ、最も好ましくはＨである；
Ｒ2、Ｒ3、Ｒ4、Ｒ5、Ｒ7、Ｒ8、Ｒ9およびＲ10は他の全てから互いに独立してＨ、ハロゲン、Ｒ11、ＣＯＯＨ、ＣＯＯＲ11、ＣＯＯ-、ＣＯＮＨ2、ＣＯＮＨＲ11、ＣＯＮＲ11Ｒ12、ＣＮ、ＯＨ、ＯＲ11、ＯＯＣＲ11、ＯＯＣＮＨ2、ＯＯＣＮＨＲ11、ＯＯＣＮＲ11Ｒ12、ＮＯ2、ＮＨ2、ＮＨＲ11、ＮＲ11Ｒ12、ＮＨＣＯＲ12、ＮＲ11ＣＯＲ12、Ｎ＝ＣＨ2、Ｎ＝ＣＨＲ11、Ｎ＝ＣＲ11Ｒ12、ＳＨ、ＳＲ11、ＳＯＲ11、ＳＯ2Ｒ11、ＳＯ3Ｒ11、ＳＯ3Ｈ、ＳＯ3-、ＳＯ2ＮＨ2、ＳＯ2ＮＨＲ11またはＳＯ2ＮＲ11Ｒ12である；  且つ、Ｒ2およびＲ3、Ｒ3およびＲ4、Ｒ4およびＲ5、Ｒ7およびＲ8、Ｒ8およびＲ9、および／またはＲ9およびＲ10は、直接結合、またはＯ、Ｓ、ＮＨまたはＮＲ11ブリッジによって互いに結合することもできる；
Ｒ11およびＲ12は互いに独立して、Ｃ1〜Ｃ12−アルキル、Ｃ1〜Ｃ12−シクロアルキル、Ｃ1〜Ｃ12−アルケニル、Ｃ1〜Ｃ12−シクロアルケニルまたはＣ1〜Ｃ12−アルキニルであり、そのそれぞれは中断されていないか、または酸素、ＮＨ、ＮＲ13および／または硫黄によって、それぞれ少なくとも２つのＣ原子を含む２つまたはそれより多くの断片に中断され、且つ、そのそれぞれも非置換であるか、または１またはそれより多くの回数、ＣＯＯＨ、ＣＯＯＲ13、ＣＯＯ-、ＣＯＮＨ2、ＣＯＮＨＲ13、ＣＯＮＲ13Ｒ14、ＣＮ、オキソ、ＯＨ、ＯＲ13、ＯＯＣＲ13、ＯＯＣＮＨ2、ＯＯＣＮＨＲ13、ＯＯＣＮＲ13Ｒ14、ＮＲ13、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14またはハロゲンで置換されている；  またはＣ7〜Ｃ12−アラルキル、Ｃ1〜Ｃ11−ヘテロアリールまたはＣ6〜Ｃ12−アリール、そのそれぞれは非置換であるか、または１またはそれより多くの回数、ＣＯＯＨ、ＣＯＯＲ13、ＣＯＯ-、ＣＯＮＨ2、ＣＯＮＨＲ13、ＣＯＮＲ13Ｒ14、ＣＮ、ＯＨ、ＯＲ13、ＯＯＣＲ13、ＯＯＣＮＨ2、ＯＯＣＮＨＲ13、ＯＯＣＮＲ13Ｒ14、ＮＯ2、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14またはハロゲンで置換されている；  且つ、それぞれＲ13またはＲ14は、任意の他のＲ13またはＲ14と独立して、Ｃ1〜Ｃ6−アルキル、ベンジルまたはフェニルであり、そのそれぞれは非置換であるか、または１またはそれより多くの回数、上記で定義された置換基で置換され、ただし、Ｒ13およびＲ14の任意の置換基内の原子の総数は１〜８である；  その際、全てのＲ13およびＲ14からなる群から選択される一対の置換基は、随意に直接結合またはＯ、Ｓ、ＮＨまたはＮＲ11ブリッジによって互いに結合して環を形成できる］
または、それらのシス−トランス異性体、またはかかる着色剤の塩、または塩形成基を有する異性体
β）  以下の段階
ａ１）  第一の段階において、１つまたはそれより多くのエチレン性不飽和モノマーを、式
【化２】
2012515240.tif 000002
［式中、
Ｘは少なくとも１つの炭素原子を有する基を表し、且つ、Ｘから誘導される遊離基Ｘ・が重合を開始できるものである］
の構造成分を有する少なくとも１つのニトロキシルエーテルの存在中で重合する段階；  または
ａ２）  第一の段階において、１つまたはそれより多くのエチレン性不飽和モノマーを式
【化３】
2012515240.tif 000003
の少なくとも１つの安定な遊離ニトロキシル基およびフリーラジカル開始剤の存在中で重合する段階；  その際、段階ａ１）またはａ２）において使用される少なくとも１つのモノマーは、アクリル酸またはメタクリル酸のＣ1〜Ｃ6−アルキルまたはヒドロキシＣ1〜Ｃ6−アルキルエステルである；
および第二の段階
ｂ）  ａ１）またはａ２）で調製されたポリマーまたはコポリマーを、エステル交換反応、アミド化、加水分解、または無水変性、またはそれらの組み合わせによって、変性することを含む段階
を含む方法によって得られる変性ポリ（メタ）アクリレートポリマーを含むポリマー分散剤、および
γ）  電気泳動ディスプレイ中で使用される分散液に適した溶剤
を含む分散液。
【請求項２】
着色剤が式１
【化４】
2012515240.tif 000004
の顔料である、請求項１に記載の分散液。
【請求項３】
着色剤が式２ａ
【化５】
2012515240.tif 000005
のスルホン酸、またはそれらの塩、および／または前記酸または塩のシス／トランス異性体である、請求項１に記載の分散液。
【請求項４】
ポリマー分散剤が、式ＩＩ
【化６】
2012515240.tif 000006
［式中、
Ｘは酸素または基ＮＨを表し、ｍは０または１０〜２０であり、ｐは６０〜９０であり、Ｒ15は水素またはメチルであり、且つ、Ｒは３０個までの炭素原子を有するアルキルを表し、その際、１つまたはそれより多くの炭素原子は酸素によって置き変えられてもよく、且つ、それは非置換またはジメチルアミノまたはトリメチルアミノによって置換され、ただし、基Ｘ−Ｒは、式Ｉ中に存在する部分式−ＣＨ2−Ｃ（Ｒ15）（ＣＯ−Ｘ−Ｒ）−の全ての（ｐ）成分において同一ではない］
の変性ポリ（メタ）アクリレートポリマー、および塩形成基を有するかかるポリマーの塩から選択される、請求項１から３までのいずれか１項に記載の分散液。
【請求項５】
溶剤がドデカンである、請求項１から４までのいずれか１項に記載の分散液。
【請求項６】
分散された粒子が、直径２００〜８００ｎｍを有する、請求項１から５までのいずれか１項に記載の分散液。
【請求項７】
請求項３において描かれた式２ａのビス−オキソジヒドロ−インドリレン−ベンゾジフラノン着色剤、またはそれらの塩および／または前記酸または塩のシス／トランス異性体。
【請求項８】
請求項１から３までのいずれか１項に定義された式Ｉのビス−オキソジヒドロ−インドリレン−ベンゾジフラノン着色剤の、および／または請求項１、９および１０のいずれか１項に定義されたポリマー分散剤の、電気泳動ディスプレイ中での使用。
【請求項９】
式ＩＩ
【化７】
2012515240.tif 000007
［式中、
Ｘは酸素または基ＮＨを表し、ｍは０または１０〜２０であり、ｐは６０〜９０であり、Ｒ15は水素またはメチルであり、且つ、Ｒは２０までの炭素原子を有するアルキルを表し、その際、１つまたはそれより多くの炭素原子は酸素によって置き換えられてもよく、且つ、それは非置換またはジメチルアミノまたはトリメチルアミノによって置換され、ただし、基Ｘ−Ｒは、式Ｉ中に存在する部分式−ＣＨ2−Ｃ（Ｒ15）（ＣＯ−Ｘ−Ｒ）−の全ての（ｐ）成分において同一ではなく、且つ、異なる基Ｘ−Ｒがポリマー鎖に沿って無作為に分布している］
の変性ポリ（メタ）アクリレートポリマーから選択されるポリマー分散剤、または塩形成基を有するかかる分散剤の塩。
【請求項１０】
部分式−ＣＨ2−Ｃ（Ｒ15）（ＣＯ−Ｘ−Ｒ）−の前記のｐ成分の２０％までにおいて、Ｒが非置換のＣ1〜Ｃ6−アルキルである一方、残りの成分において、Ｒは非置換のＣ1〜Ｃ6−アルキルとは異なる、請求項９に記載の分散剤。
【請求項１１】
請求項１から３までのいずれか１項に定義された式Ｉのビス−オキソジヒドロ−インドリレン−ベンゾジフラノン着色剤の分散液、請求項１、９および１０のいずれか１項に定義されたポリマー分散剤、および電気泳動ディスプレイ内で使用される分散液に適した溶剤を含む、電気泳動ディスプレイ。
【手続補正２】
【補正対象書類名】明細書
【補正対象項目名】０００９
【補正方法】変更
【補正の内容】
【０００９】
本発明は、電気泳動ディスプレイのために有用な分散液であって、特に分散された粒子が、直径１００〜１０００ｎｍ（ナノメートル）、好ましくは２００〜８００ｎｍ、最も好ましくは３００〜６００ｎｍを有し、以下を含む分散液に関する：
α）  式Ｉのビスオキソジヒドロ−インドリレン−ベンゾジフラノン着色剤
【化１】
2012515240.tif 000008
［式中、
Ｒ1およびＲ6は互いに独立してＨ、ＣＨ3、ＣＦ3、ＦまたはＣｌ、好ましくはＨまたはＦ、最も好ましくはＨである；
Ｒ2、Ｒ3、Ｒ4、Ｒ5、Ｒ7、Ｒ8、Ｒ9およびＲ10は他の全てから互いに独立してＨ、ハロゲン、Ｒ11、ＣＯＯＨ、ＣＯＯＲ11、ＣＯＯ-、ＣＯＮＨ2、ＣＯＮＨＲ11、ＣＯＮＲ11Ｒ12、ＣＮ、ＯＨ、ＯＲ11、ＯＯＣＲ11、ＯＯＣＮＨ2、ＯＯＣＮＨＲ11、ＯＯＣＮＲ11Ｒ12、ＮＯ2、ＮＨ2、ＮＨＲ11、ＮＲ11Ｒ12、ＮＨＣＯＲ12、ＮＲ11ＣＯＲ12、Ｎ＝ＣＨ2、Ｎ＝ＣＨＲ11、Ｎ＝ＣＲ11Ｒ12、ＳＨ、ＳＲ11、ＳＯＲ11、ＳＯ2Ｒ11、ＳＯ3Ｒ11、ＳＯ3Ｈ、ＳＯ3-、ＳＯ2ＮＨ2、ＳＯ2ＮＨＲ11またはＳＯ2ＮＲ11Ｒ12である；  且つ、Ｒ2およびＲ3、Ｒ3およびＲ4、Ｒ4およびＲ5、Ｒ7およびＲ8、Ｒ8およびＲ9、および／またはＲ9およびＲ10は、直接結合、またはＯ、Ｓ、ＮＨまたはＮＲ11ブリッジによって互いに結合することもできる；
Ｒ11およびＲ12は互いに独立して、Ｃ1〜Ｃ12−アルキル、Ｃ1〜Ｃ12−シクロアルキル、Ｃ1〜Ｃ12−アルケニル、Ｃ1〜Ｃ12−シクロアルケニルまたはＣ1〜Ｃ12−アルキニルであり、そのそれぞれは中断されていないか、または酸素、ＮＨ、ＮＲ13および／または硫黄によって、それぞれ少なくとも２つのＣ原子を含む２つまたはそれより多くの断片に中断され、且つ、そのそれぞれは非置換であるか、または１またはそれより多くの回数、ＣＯＯＨ、ＣＯＯＲ13、ＣＯＯ-、ＣＯＮＨ2、ＣＯＮＨＲ13、ＣＯＮＲ13Ｒ14、ＣＮ、オキソ、ＯＨ、ＯＲ13、ＯＯＣＲ13、ＯＯＣＮＨ2、ＯＯＣＮＨＲ13、ＯＯＣＮＲ13Ｒ14、ＮＲ13、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14またはハロゲンで置換されている；  またはＣ7〜Ｃ12−アラルキル、Ｃ1〜Ｃ11−ヘテロアリールまたはＣ6〜Ｃ12−アリール、そのそれぞれは非置換であるか、または１またはそれより多くの回数、ＣＯＯＨ、ＣＯＯＲ13、ＣＯＯ-、ＣＯＮＨ2、ＣＯＮＨＲ13、ＣＯＮＲ13Ｒ14、ＣＮ、ＯＨ、ＯＲ13、ＯＯＣＲ13、ＯＯＣＮＨ2、ＯＯＣＮＨＲ13、ＯＯＣＮＲ13Ｒ14、ＮＯ2、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14またはハロゲンで置換されている；  且つ、それぞれＲ13またはＲ14は、任意の他のＲ13またはＲ14と独立して、Ｃ1〜Ｃ6−アルキル、ベンジルまたはフェニルであり、そのそれぞれは非置換であるか、または１またはそれより多くの回数、上記で定義された置換基で置換され、ただし、Ｒ13およびＲ14の任意の置換基内の原子の総数は１〜８である；  その際、全てのＲ13およびＲ14からなる群から選択される一対の置換基は、随意に直接結合またはＯ、Ｓ、ＮＨまたはＮＲ11ブリッジによって互いに結合して環を形成できる］
またはそれらのシス−トランス異性体、またはかかる着色剤の塩または塩形成基を有する異性体、
β）  以下の段階
ａ１）  第一の段階において、１つまたはそれより多くのエチレン性不飽和モノマーを、式
【化２】
2012515240.tif 000009
［式中、
Ｘは少なくとも１つの炭素原子を有する基を表し、且つ、Ｘから誘導される遊離基Ｘ・が重合を開始できるものである］
の構造成分を有する少なくとも１つのニトロキシルエーテルの存在中で重合する段階；  または
ａ２）  第一の段階において、１つまたはそれより多くのエチレン性不飽和モノマーを式
【化３】
2012515240.tif 000010
の少なくとも１つの安定な遊離ニトロキシル基およびフリーラジカル開始剤の存在中で重合する段階；  その際、段階ａ１）またはａ２）において使用される少なくとも１つのモノマーは、アクリル酸またはメタクリル酸のＣ1〜Ｃ6−アルキルまたはヒドロキシＣ1〜Ｃ6−アルキルエステルである；
および第二の段階
ｂ）  ａ１）またはａ２）で調製されたポリマーまたはコポリマーを、エステル交換反応、アミド化、加水分解、または無水変性、またはそれらの組み合わせによって変性することを含む段階
を含む方法によって得られる変性ポリ（メタ）アクリレートポリマーを含むポリマー分散剤、および
γ）  電気泳動ディスプレイ中で使用される分散液に適した溶剤。